(57)【要約】【課題】工具を一切使用することなく、大引材に対して根太材を極めて簡単に、かつ、十分な強度をもって固定することができる根太材固定具を提供する。【解決手段】本体２は、長手方向と直交する方向へ間隔を置いて並べて配置された二枚のプレート２０ａ，２０ｂを弾性的に連結してなり、プレート２０ａ，２０ｂの下面側には、下方の位置において先端部が内側へ向かって突出する係止爪２２が各側縁部２１に沿ってそれぞれ形成され、プレート２０ａ，２０ｂの上面側には、上方の位置において先端部が内側へ向かって突出する本体側フラップ２３が連結側端部２８に沿って形成され、クリップ３は、クリップ側フラップ３１を有し、係合手段を介して本体２の自由側端部２９に装着可能なように構成した。【選択図】図１
2014118782.tif 000002
【特許請求の範囲】
【請求項１】
本体とクリップとによって構成され、
本体は、長手方向と直交する方向へ間隔を置いて並べて配置された二枚のプレートを弾性的に連結することにより、弾性変形の許容限度内においてそれらの間隔を拡げ若しくは狭めることが可能なように構成され、
プレートの下面側には、当該下面よりも下方の位置において先端部が内側へ向かって突出する係止爪が、プレートの外側の各側縁部に沿ってそれぞれ形成され、
プレートの上面側には、当該上面よりも上方の位置において先端部が内側へ向かって突出する上側係止フラップが、プレートの長手方向の両端部のうちの一方の端部に沿って形成され、
クリップは、クリップ側フラップを有し、プレートの長手方向の両端部のうち、上側係止フラップが形成されている端部とは反対側の端部に、係合手段を介して装着可能なように構成され、
本体にクリップが装着された際に、クリップ側フラップとプレートとの間に隙間が形成され、クリップ側フラップの先端部が、プレートの上面よりも上方の位置において、プレートの内側へ向かって突出する状態となるように構成したことを特徴とする根太材固定具。
【請求項２】
本体に対してクリップを装着した際に、二枚のプレートの拡開が規制されるように構成したことを特徴とする、請求項１に記載の根太材固定具。
【請求項３】
本体に対してクリップを装着するための係合手段として、プレートの両端部のうち、クリップが装着される側の端部の各側縁部に、外側水平方向へ向かって突出する係合突片がそれぞれ形成されるとともに、クリップが、クリップ側フラップの両側部の下方側においてそれぞれ支持される左右一対の下顎部を有し、クリップ側フラップの両側部と当該下顎部との間に間隙部がそれぞれ形成され、これらの間隙部の最奥部が、係合突片の厚さ寸法に対応した離間寸法に設定されていることを特徴とする、請求項１又は請求項２に記載の根太材固定具。
【請求項４】
複数本の大引材を設置面上に所定間隔を置いて配置し、複数本の根太材を、大引材の上に所定間隔を置いて配置し、根太材の上にデッキ材を並列配置してなるデッキ構造体であって、
大引材として、最上部において上フランジが左右の外側方向へそれぞれ一定の幅で突出するように形成された金属製の構造材を使用し、
根太材として、最下部において下フランジが左右の外側方向へそれぞれ一定の幅で突出するように形成された金属製の構造材を使用し、
請求項１〜３のいずれかに記載の根太材固定具を用いて、大引材に対し根太材を固定してなることを特徴とするデッキ構造体。
【請求項５】
請求項１〜３のいずれかに記載の根太材固定具と、最上部において上フランジが左右の外側方向へそれぞれ一定の幅で突出するように形成された金属製の大引材と、最下部において下フランジが左右の外側方向へそれぞれ一定の幅で突出するように形成された金属製の根太材と、デッキ材と、を用いてデッキ構造体を構築する方法であって、
設置面上に配置した大引材の最上部に、各係止爪が各上フランジの外側から下側へ進入するような形で本体を装着し、
根太材を、大引材と直交する向きで本体の上に載置し、根太材の一方側の下フランジを、本体の上側係止フラップの下側に進入させて、当該下フランジが本体によって挟持される状態とし、
クリップを本体に装着し、根太材の他方側の下フランジを、クリップ側フラップの下側に進入させて、当該下フランジが本体及びクリップによって挟持される状態とし、
根太材の上にデッキ材を並列配置することを特徴とするデッキ構造体の構築方法。
【発明の詳細な説明】
【技術分野】
【０００１】
本発明は、特徴的な形状の根太材固定具等を用いて構築されるデッキ構造体、及び、その構築のために使用される根太材固定具、及び、デッキ構造体の構築方法に関する。
【背景技術】
【０００２】
デッキ構造体（屋外デッキや室内床等）は、通常、設置面上において、所定間隔を置いて複数本の根太材を平行に配置し、その上に、根太材と直交する向きでデッキ材（床材を含む）を並列配置して固定する、という方法によって構築されている。また、図６に示すように、設置面上に、所定間隔を置いて複数本の大引材４を平行に配置し、その上に複数本の根太材５を、大引材４と直交する向きで、所定間隔を置いて配置して大引材４上に固定し、更にそれらの根太材５の上に、デッキ材６（床材を含む）を配置して固定する、という方法によってデッキ構造体を構築する場合もある。
【先行技術文献】
【特許文献】
【０００３】
【特許文献１】特開２００３−１３８７３３号公報
【特許文献２】特開２００３−１４７９４３号公報
【特許文献３】特開２００１−２０９２８号公報
【発明の概要】
【発明が解決しようとする課題】
【０００４】
大引材に対して根太材を固定する場合、釘、ビス、或いは、鎹などの固定手段が用いられているが、これらを用いて固定作業を行う場合、金槌や電動ドライバー等の工具が必要となるほか、作業者において、ある程度の経験と技能が必要となる。このため、工具を一切使用することなく、極めて単純な作業のみで、誰でも簡単に根太材の固定作業を行えるような根太材固定具、及び、デッキ構造体が望まれている。
【０００５】
本発明は、上記のような従来技術における問題を解決しようとするものであって、工具を一切使用することなく、大引材に対して根太材を極めて簡単に、かつ、十分な強度をもって固定することができる根太材固定具、及び、当該根太材固定具を用いて構築されるデッキ構造体、及び、当該根太材固定具を用いてデッキ構造体を構築する方法を提供することを目的とする。
【課題を解決するための手段】
【０００６】
本発明に係る根太材固定具は、本体とクリップとによって構成され、本体は、長手方向と直交する方向へ間隔を置いて並べて配置された二枚のプレートを弾性的に連結することにより、弾性変形の許容限度内においてそれらの間隔を拡げ若しくは狭めることが可能なように構成され、プレートの下面側には、当該下面よりも下方の位置において先端部が内側へ向かって突出する係止爪が、プレートの外側の各側縁部に沿ってそれぞれ形成され、プレートの上面側には、当該上面よりも上方の位置において先端部が内側へ向かって突出する本体側フラップが、プレートの長手方向の両端部のうちの一方の端部に沿って形成され、クリップは、クリップ側フラップを有し、プレートの長手方向の両端部のうち、本体側フラップが形成されている端部とは反対側の端部に、係合手段を介して装着可能なように構成され、本体にクリップが装着された際に、クリップ側フラップとプレートとの間に隙間が形成され、クリップ側フラップの先端部が、プレートの上面よりも上方の位置において、プレートの内側へ向かって突出する状態となるように構成したことを特徴としている。
【０００７】
尚、この根太材固定具においては、本体に対してクリップを装着した際に、二枚のプレートの拡開が規制されるように構成することが好ましく、また、本体に対してクリップを装着するための係合手段として、プレートの両端部のうち、クリップが装着される側の端部の各側縁部に、外側水平方向へ向かって突出する係合突片がそれぞれ形成されるとともに、クリップが、クリップ側フラップの両側部の下方側においてそれぞれ支持される左右一対の下顎部を有し、クリップ側フラップの両側部と当該下顎部との間に間隙部がそれぞれ形成され、これらの間隙部の最奥部が、係合突片の厚さ寸法に対応した離間寸法に設定されていることが好ましい。
【０００８】
また、本発明に係るデッキ構造体は、複数本の大引材を設置面上に所定間隔を置いて配置し、複数本の根太材を、大引材の上に所定間隔を置いて配置し、根太材の上にデッキ材を並列配置してなるものであって、大引材として、最上部において上フランジが左右の外側方向へそれぞれ一定の幅で突出するように形成された金属製の構造材を使用し、根太材として、最下部において下フランジが左右の外側方向へそれぞれ一定の幅で突出するように形成された金属製の構造材を使用し、上記のような根太材固定具を用いて、大引材に対し根太材を固定してなることを特徴としている。
【０００９】
更に、本発明に係るデッキ構造体の構築方法は、上記のような根太材固定具と、最上部において上フランジが左右の外側方向へそれぞれ一定の幅で突出するように形成された金属製の大引材と、最下部において下フランジが左右の外側方向へそれぞれ一定の幅で突出するように形成された金属製の根太材と、デッキ材と、を用いてデッキ構造体を構築する方法であって、設置面上に配置した大引材の最上部に、各係止爪が各上フランジの外側から下側へ進入するような形で本体を装着し、根太材を、大引材と直交する向きで本体の上に載置し、根太材の一方側の下フランジを、本体の本体側フラップの下側に進入させて、当該下フランジが本体によって挟持される状態とし、クリップを本体に装着し、根太材の他方側の下フランジを、クリップ側フラップの下側に進入させて、当該下フランジが本体及びクリップによって挟持される状態とし、根太材の上にデッキ材を並列配置することを特徴としている。
【発明の効果】
【００１０】
本発明に係る根太材固定具は、工具を一切使用することなく、また、ビス、ボルト、ナットを用いることなく、大引材に対して根太材を極めて簡単に、かつ、十分な強度をもって固定することができ、これにより、デッキ構造体を極めて簡単に構築することができる。
【図面の簡単な説明】
【００１１】
【図１】図１は、本発明の第一実施形態に係る根太材固定具１を構成する本体２及びクリップ３の斜視図であり、（１）は上面側の斜視図、（２）は下面側の斜視図である。
【図２】図２は、図１に示した本体２及びクリップ３の側面図である。
【図３】図３は、本発明の第二実施形態に係る根太材固定具１の使用方法の説明図であって、大引材４の最上部に対し、図１に示す本体２を装着した状態を示す図である。
【図４】図４は、本発明の第二実施形態に係る根太材固定具１の使用方法の説明図であって、本体２の上に根太材５を載置した状態を示す図である。
【図５】図５は、本発明の第二実施形態に係る根太材固定具１の使用方法の説明図であって、根太材固定具１によって根太材５を固定した状態を示す図である。
【図６】図６は、従来のデッキ構造体の構造を示す切欠斜視図である。
【発明を実施するための形態】
【００１２】
以下、添付図面に沿って本発明の実施形態について説明する。本発明の第一実施形態に係る根太材固定具１は、図１に示すように、本体２と、クリップ３とによって構成される。本体２及びクリップ３は、いずれもプラスチックス製で、それぞれ各部が一体的に形成されている。
【００１３】
本体２は、対称的な形状の二枚のプレート（第一プレート２０ａ、及び、第二プレート２０ｂ）を、各プレート（２０ａ，２０ｂ）の長手方向と直交する方向へ所定間隔を置いて並べて配置するとともに、各プレート（２０ａ，２０ｂ）の長手方向の両端部のうちの一方の端部に形成したブリッジ２４によって、第一プレート２０ａと第二プレート２０ｂとを弾性的に連結した構造となっている。これらの第一プレート２０ａ、及び、第二プレート２０ｂの各下面側には、係止爪２２がそれぞれ二つずつ形成され、各上面側には、本体側フラップ２３がそれぞれ一つずつ形成されている。
【００１４】
係止爪２２は、第一プレート２０ａ、及び、第二プレート２０ｂにおけるそれぞれ外側（プレートの対向方向における外側）の側縁部２１に沿って、連結側端部２８、及び、自由側端部２９の近傍位置にそれぞれ配置され、いずれも先端部が、プレート（２０ａ，２０ｂ）の下面よりも下方の位置において内側（対向する他方のプレート側）へ向かって突出する構造となっている。
【００１５】
本体側フラップ２３は、第一プレート２０ａ、及び、第二プレート２０ｂの各連結側端部２８に沿ってそれぞれ配置され、いずれも先端部が、プレート（２０ａ，２０ｂ）の上面よりも上方の位置において内側（自由側端部２９側）へ向かって突出する構造となっている。尚、本体側フラップ２３は、連結側端部２８側にのみ形成されており、図１に示すように、自由側端部２９側には形成されていない。
【００１６】
また、第一プレート２０ａ、及び、第二プレート２０ｂにおける自由側端部２９（本体側フラップ２３が形成されていない方の端部）近傍の各側縁部２１には、外側水平方向へ向かって突出する係合突片２５がそれぞれ形成されている。これらの係合突片２５は、第一プレート２０ａ、及び、第二プレート２０ｂの自由側端部２９に対してクリップ３を装着する際の係合手段として機能する。尚、これらの係合突片２５の外側には、垂直方向に延在するガードプレート２６がそれぞれ形成されている。
【００１７】
クリップ３は、クリップ側フラップ３１と、その両側部３１ａの下方側においてそれぞれ支持される左右一対の下顎部３２とによって構成されており、クリップ側フラップ３１の両側部３１ａと各下顎部３２との間には、間隙部３３がそれぞれ形成されている。これらの間隙部３３は、図２（１）に示すように、最奥部３３ａが、本体２の係合突片２５の厚さ寸法に対応した離間寸法（係合突片２５の厚さ寸法よりも僅かに大きい寸法）に設定されており、この最奥部３３ａは、係合突片２５とともに、第一プレート２０ａ、及び、第二プレート２０ｂの自由側端部２９に対してクリップ３を装着する際の係合手段として機能する。尚、間隙部３３のうち、最奥部３３ａより手前側に形成されている開口側部３３ｂは、最奥部３３ａよりも大きな離間寸法となっている。
【００１８】
また、クリップ３における左右二つの下顎部３２の間隔寸法Ｗ１（図１（２）参照）は、本体２における自由側端部２９近傍の二つの係止爪２２の外側面間の寸法Ｗ２（図１（１）参照）よりも若干小さく設定されており、また、クリップ３における左右二つの間隙部３３は、本体２における二つの係合突片２５の形成位置と対応した位置に形成されている。このためクリップ３は、本体２の第一プレート２０ａと第二プレート２０ｂとの間隔を僅かに狭めることにより、図２（２）（この図において、係合突片２５については、断面が表示され、その手前側のガードプレート２６については、表示が省略されている。）に示すように、左右二つの間隙部３３の各最奥部３３ａに、第一プレート２０ａの係合突片２５、及び、第二プレート２０ｂの係合突片２５をそれぞれ進入させることが可能であり、これにより、クリップ３を本体２（の第一プレート２０ａ、及び、第二プレート２０ｂの自由側端部２９）に対して装着できるようになっている。
【００１９】
尚、上述の通り、間隙部３３の最奥部３３ａは、本体２の係合突片２５の厚さ寸法に対応した離間寸法に設定されているため、図２（２）に示すようなクリップ３の装着状態においては、係合突片２５が殆ど隙間なく最奥部３３ａ内に嵌合した状態となるが、間隙部３３のうち、最奥部３３ａより手前側に形成されている開口側部３３ｂは、最奥部３３ａよりも大きな離間寸法となっているため、クリップ３のクリップ側フラップ３１と係合突片２５との間には隙間が残存することになる。また、係合突片２５の上面の高さ位置は、第一プレート２０ａ及び第二プレート２０ｂの上面の高さ位置とほぼ一致しているため、クリップ３のクリップ側フラップ３１と第一プレート２０ａ及び第二プレート２０ｂとの間にも、隙間が残存することになる。
【００２０】
その結果、クリップ３の装着状態におけるクリップ側フラップ３１は、本体２における第一プレート２０ａ、及び、第二プレート２０ｂの各連結側端部２８に沿って配置されている本体側フラップ２３と同様に、先端部がプレート（２０ａ，２０ｂ）の上面よりも上方の位置において内側（連結側端部２８側）へ向かって突出する形となり、本体２の自由側端部２９において、本体側フラップ２３と同様の機能を得ることになる。
【００２１】
また、第一プレート２０ａと第二プレート２０ｂとは、上述の通り、ブリッジ２４によって弾性的に連結されているため、本体２に対してクリップ３が装着されていない状態においては、ブリッジ２４における弾性変形の許容限度内において左右方向へ拡開可能であるが、図２（２）に示すようなクリップ３の装着状態においては、クリップ３の左右の下顎部３２が、本体２における自由側端部２９近傍の二つの係止爪２２のそれぞれ外側に位置することになる。従って、クリップ３の左右の下顎部３２は、本体２に装着された場合、第一プレート２０ａ及び第二プレート２０ｂの拡開を規制するという機能を得ることになる。
【００２２】
本発明の第一実施形態に係る根太材固定具１は、以上に説明したような構成に係るものであるところ、特徴的な形状の金属製の構造材（最上部において上フランジが左右の外側方向へそれぞれ一定の幅で突出するように形成されるとともに、最下部において下フランジが左右の外側方向へそれぞれ一定の幅で上フランジよりも大きく突出するように形成された構造材）を、大引材、及び、根太材として使用し、複数本の大引材を設置面上に所定間隔を置いて配置し、複数本の根太材を、大引材の上に、それらと直交する向きで、所定間隔を置いて配置し、根太材の上にデッキ材（床材を含む）を並列配置してデッキ構造体を構築しようとする場合において、大引材に対する根太材の固定手段として利用することができ、その際、工具を一切使用することなく、また、ビス、ボルト、ナットを用いることなく、大引材に対して根太材を極めて簡単に、かつ、十分な強度をもって固定することができる。
【００２３】
ここで本発明の第二実施形態として、第一実施形態の根太材固定具の使用方法（根太材固定具を用いたデッキ構造体の構築方法）について説明する。尚、本実施形態に係る方法においては、図３及び図４に示すような構造材を、大引材４及び根太材５として使用する。より具体的には、最上部において上フランジ４１（５１）が左右の外側方向へそれぞれ一定の幅で突出するように形成されるとともに、最下部において下フランジ４２（５２）が左右の外側方向へそれぞれ一定の幅で上フランジ４１（５１）よりも大きく突出するように形成された大引材４（根太材５）を使用する。
【００２４】
まず大引材４を設置面上の適正な位置に配置したら、上フランジ４１が左右へ突出する最上部に、図１及び図２に示す根太材固定具１の本体２を取り付ける。上述の通り、本体２の下面側には、四つの係止爪２２が形成されており、これらの係止爪２２はいずれも、先端部が、プレート（第一プレート２０ａ、及び、第二プレート２０ｂ）の下面よりも下方の位置において内側へ向かって突出する構造となっており、また、第一プレート２０ａに形成されている係止爪２２と、第二プレート２０ｂに形成されている係止爪２２との間隔寸法、及び、それらの形状は、左右の上フランジ４１を含む大引材４の最上部の形状及び寸法に対応しているため、図３に示すように、係止爪２２を、各上フランジ４１の外側から下側へ進入させ、左右の上フランジ４１の外側部分及び下側部分を抱え込ませるような形で、本体２を大引材４の最上部に取り付けることができる。
【００２５】
尚、第一プレート２０ａと第二プレート２０ｂとは、ブリッジ２４によって弾性的に連結され、拡開可能なように構成されているため、弾性変形の許容限度内で第一プレート２０ａと第二プレート２０ｂとの間隔を適宜拡開することにより、大引材４の最上部のいずれの位置（長手方向についての位置）に対しても、長手方向の端部を経由せずに、最上部における取付位置の上方側から直接的に装着することができる。
【００２６】
本体２を大引材４の最上部に装着したら、本体２を大引材４の長手方向へ適宜スライドさせて位置決めを行う。尚、大引材４の最上部に装着された本体２は、図３（１）に示すような状態（図１等に示すクリップ３が装着されていない状態）においては、係止爪２２と上フランジ４１とが密着している訳ではなく、摩擦抵抗力はそれ程大きくないため、本体２に対して少しだけ力を加えてやれば、大引材４の長手方向へ簡単にスライドさせることができる。また、何らかの事情により摩擦抵抗力が大きくなっていて、簡単にはスライドさせることが難しくなっているような場合でも、第一プレート２０ａと第二プレート２０ｂとの間隔を僅かに拡げてやると、摩擦抵抗力が減じられることになり、円滑なスライドが可能となる。
【００２７】
本体２の位置決めが完了したら、図４に示すように、根太材５を、大引材４と直交する向きで本体２の上に載置して位置決めを行う。このとき、根太材５の一方側の下フランジ５２ａを、本体２の本体側フラップ２３の下側（第一プレート２０ａ及び第二プレート２０ｂと、本体側フラップ２３との間）に進入させて、下フランジ５２ａが本体２によって挟持される状態とする。
【００２８】
次にこの状態で、図５に示すように、クリップ３を本体２の適正位置に装着する。即ち、左右二つの間隙部３３（図１及び図２参照）の各最奥部３３ａに、第一プレート２０ａの係合突片２５、及び、第二プレート２０ｂの係合突片２５をそれぞれ進入させてることによって、クリップ３を本体２の自由側端部２９に装着する。このとき、根太材５の他方側（本体２の本体側フラップ２３の下側に進入させた下フランジ５２ａとは反対側）の下フランジ５２ｂを、クリップ３のクリップ側フラップ３１の下側（第一プレート２０ａ及び第二プレート２０ｂと、クリップ側フラップ３１との間）に進入させて、下フランジ５２ｂが本体２及びクリップ３によって挟持される状態とする。
【００２９】
尚、本体２にクリップ３を装着した状態における本体側フラップ２３とクリップ側フラップ３１との間隔寸法、及び、それらの形状は、左右の下フランジ５２ａ，５２ｂを含む根太材５の最下部の形状及び寸法に対応しているため、図５（２）に示すように、本体２にクリップ３が装着されると、根太材５の左右の下フランジ５２ａ，５２ｂが、本体２及びクリップ３によってしっかりと挟持されて固定されることになる。
【００３０】
また、本体２の第一プレート２０ａと第二プレート２０ｂは、クリップ３が装着されていない状態においては左右方向へ拡開可能であったが、クリップ３が装着されると、拡開が規制されることになる。また、本体２にクリップ３を装着すると、第一プレート２０ａと第二プレート２０ｂとの間隔が若干狭まるように構成されているため、係止爪２２が大引材４の上フランジ４１と密着し、摩擦抵抗力が増大することになる。その結果、本体２は、大引材４に対して、ずれることなくしっかりと固定されることになる。
【００３１】
以上に説明したように、図１及び図２に示した根太材固定具１を用いれば、最上部において上フランジ４１が左右の外側方向へそれぞれ一定の幅で突出するように形成された根太材５と、最下部において下フランジ５２が左右の外側方向へそれぞれ一定の幅で突出するように形成された根太材５を使用してデッキ構造体を構築しようとする際に、工具を一切使用することなく、また、ビス、ボルト、ナットを用いることなく、大引材４に対して根太材５を極めて簡単に、かつ、十分な強度をもって固定することができる。
【００３２】
尚、本実施形態においては、最下部において下フランジ４２が左右の外側方向へそれぞれ一定の幅で上フランジ４１よりも大きく突出するように形成された大引材４が使用されているが、最上部において上フランジ４１が左右の外側方向へそれぞれ一定の幅で突出するように形成されており、それらの形状及び寸法が本体２の係止爪２２の形状及び寸法と適合するものであれば、下フランジが形成されていない大引材や、下フランジの形状や構造が、図３等に示されているものと異なる大引材を使用することもできる。
【００３３】
また、本実施形態においては、最上部において上フランジ５１が左右の外側方向へそれぞれ一定の幅で突出するように形成された根太材５が使用されているが、最下部において下フランジ５２が左右の外側方向へそれぞれ一定の幅で突出するように形成されており、それらの形状及び寸法が本体２及びクリップ３の形状及び寸法と適合するものであれば、上フランジが形成されていない根太材や、上フランジの形状や構造が、図４等に示されているものと異なる根太材を使用することもできる。
【符号の説明】
【００３４】
１：根太材固定具、
２：本体、
３：クリップ、
４：大引材、
５：根太材、
６：デッキ材、
２０ａ：第一プレート、
２０ｂ：第二プレート、
２１：側縁部、
２２：係止爪、
２３：本体側フラップ、
２４：ブリッジ、
２５：係合突片、
２６：ガードプレート、
２８：連結側端部、
２９：自由側端部、
３１：クリップ側フラップ、
３１ａ：側部、
３２：下顎部、
３３：間隙部、
３３ａ：最奥部、
３３ｂ：開口側部、
４１，５１：上フランジ、
４２，５２：下フランジ
【図１】
2014118782.tif 000003
【図２】
2014118782.tif 000004
【図３】
2014118782.tif 000005
【図４】
2014118782.tif 000006
【図５】
2014118782.tif 000007
【図６】
2014118782.tif 000008